(57)【要約】【課題】盗難防止用ゲートの発報を所望の範囲に限定する。【解決手段】盗難防止用ゲートと盗難防止用タグとを含む盗難防止システムであって、盗難防止用ゲートは、ゲート信号を送信する送信部と、盗難防止用タグから出力された音波信号を受信する受信部と、音波信号の受信タイミングに基づいて、盗難防止用タグが所定距離範囲内に存在するか否かを判定する判定部と、判定部による判定結果に基づいて警報を出力する出力部とを備え、盗難防止用タグは、盗難防止用ゲートからゲート信号を受信する受信部と、ゲート信号の受信に応じて音波信号を出力する出力部とを備えることにより課題を解決できる。【選択図】  図５
2018112944.tif 000002
【特許請求の範囲】
【請求項１】
盗難防止用ゲートと盗難防止用タグとを含む盗難防止システムであって、
前記盗難防止用ゲートは、
ゲート信号を送信する送信手段と、
前記盗難防止用タグから出力された音波信号を受信する受信手段と、
前記音波信号の受信タイミングに基づいて、前記盗難防止用タグが所定距離範囲内に存在するか否かを判定する判定手段と、
前記判定手段による判定結果に基づいて警報を出力する出力手段と、
を備え、
前記盗難防止用タグは、
前記盗難防止用ゲートから前記ゲート信号を受信する受信手段と、
前記ゲート信号の受信に応じて音波信号を出力する出力手段と、
を備えることを特徴とする盗難防止システム。
【請求項２】
前記盗難防止用ゲートの前記判定手段は、前記ゲート信号の送信タイミングと、前記音波信号の受信タイミングとの時間差に基づいて前記盗難防止用タグが所定距離範囲内に存在するか否かを判定することを特徴とする請求項１に記載の盗難防止システム。
【請求項３】
前記盗難防止用ゲートは、他の盗難防止用ゲートに対して同期信号を出力する同期信号出力手段をさらに備え、
前記盗難防止用ゲートの送信手段及び前記他の盗難防止用ゲートが備えるゲート信号の送信手段は、前記同期信号に応じてゲート信号を送信することを特徴とする請求項１又は２に記載の盗難防止システム。
【請求項４】
前記盗難防止用ゲートは、他の盗難防止用ゲートから受信した同期信号に応じて前記ゲート信号を送信することを特徴とする請求項１又は２に記載の盗難防止システム。
【請求項５】
前記盗難防止用ゲートの前記出力手段は、前記音波信号に、前記ゲート信号の受信に応じて前記盗難防止用タグから出力された周波数の信号が含まれる場合に、前記判定手段による判定結果に基づいて警報を出力することを特徴とする請求項１乃至４の何れか１項に記載の盗難防止システム。
【請求項６】
前記盗難防止用タグは、前記盗難防止用タグからの対象物の取り外しを検知する検知手段をさらに備え、
前記盗難防止用タグの前記出力手段は、さらに、前記検知手段により前記取り外しが検知された場合には、前記ゲート信号の受信に応じて出力される周波数の信号を含まない音波信号を出力することを特徴とする請求項１乃至５の何れか１項に記載の盗難防止システム。
【請求項７】
盗難防止用タグと通信可能な盗難防止用ゲートであって、
ゲート信号を送信する送信手段と、
前記盗難防止用タグから出力された音波信号を受信する受信手段と、
前記音波信号の受信タイミングに基づいて、前記盗難防止用タグが所定距離範囲内に存在するか否かを判定する判定手段と、
前記判定手段による判定結果に基づいて警報を出力する出力手段と、
を備えることを特徴とする盗難防止用ゲート。
【請求項８】
盗難防止用タグと通信可能な盗難防止用ゲートの制御方法であって、
ゲート信号を送信する送信工程と、
前記盗難防止用タグから出力された音波信号を受信する受信工程と、
前記音波信号の受信タイミングに基づいて、前記盗難防止用タグが所定距離範囲内に存在するか否かを判定する判定工程と、
前記判定工程による判定結果に基づいて警報を出力する出力工程と、
を有することを特徴とする盗難防止用ゲートの制御方法。
【請求項９】
請求項８に記載の制御方法の各工程をコンピュータに実行させるためのプログラム。
【発明の詳細な説明】
【技術分野】
【０００１】
本発明は、盗難防止システム、盗難防止用ゲート、盗難防止用ゲートの制御方法およびプログラムに関するものである。
【背景技術】
【０００２】
店舗等での商品の盗難を防止するために、商品等の対象物に対して取り付ける盗難防止用タグや、未会計の商品が店舗外に持ち出されることを防止するための盗難防止用ゲートが開発されている。
【０００３】
盗難防止用タグは対象物に対して取り付けられ、不正な取り外しを検知することにより警報音を報知する。また、盗難防止用ゲートは、盗難防止用タグが取り付けられた対象物の近接あるいは通過を検知することにより警報音を報知する。一例として、盗難防止用タグから送信された信号を受信したことに応じて、盗難防止用ゲートが発報する。
【０００４】
特許文献１では、警報ユニットの警報音を検知して警報信号を発生する音波受信方式の警報音検知装置が開示されている。
【０００５】
音波受信方式により盗難防止用タグから信号が送信される場合、音波は距離による減衰が小さいことから、盗難防止用ゲートが盗難防止用タグから離れた位置にあっても盗難防止用ゲートが発報可能である。
【先行技術文献】
【特許文献】
【０００６】
【特許文献１】特開２００３−０４４９５１号公報
【発明の概要】
【発明が解決しようとする課題】
【０００７】
そのため、音波受信方式を用いる場合は広範囲の盗難防止用ゲートを発報させてしまうことがある。店舗には複数の出入り口が設けられることがあり、各出入り口に盗難防止用ゲートが設置されているような場合に、すべての盗難防止用ゲートで発報させる必要はなく、盗難防止用タグが取り付けられている対象物の近くにある盗難防止用ゲートに発報範囲を限定したいというニーズがある。
【０００８】
本発明は、上記の課題に鑑みてなされたものであり、盗難防止用ゲートの発報を所望の範囲に限定するための技術を提供することを目的とする。
【課題を解決するための手段】
【０００９】
上記の目的を達成する本発明に係る盗難防止システムは、
盗難防止用ゲートと盗難防止用タグとを含む盗難防止システムであって、
前記盗難防止用ゲートは、
ゲート信号を送信する送信手段と、
前記盗難防止用タグから出力された音波信号を受信する受信手段と、
前記音波信号の受信タイミングに基づいて、前記盗難防止用タグが所定距離範囲内に存在するか否かを判定する判定手段と、
前記判定手段による判定結果に基づいて警報を出力する出力手段と、
を備え、
前記盗難防止用タグは、
前記盗難防止用ゲートから前記ゲート信号を受信する受信手段と、
前記ゲート信号の受信に応じて音波信号を出力する出力手段と、
を備えることを特徴とする。
【発明の効果】
【００１０】
本発明によれば、盗難防止用ゲートの発報を所望の範囲に限定することが可能となる。
【図面の簡単な説明】
【００１１】
【図１】図１は、本発明の一実施形態に係る盗難防止システムの構成例を示す図である。
【図２】図２は、本発明の一実施形態に係る盗難防止用タグおよび盗難防止用ゲートの機能構成の一例を示す図である。
【図３】図３は、本発明の一実施形態に係る盗難防止用ゲートと盗難防止用タグとの間の処理の説明図である。
【図４】図４は、本発明の一実施形態に係る盗難防止用タグが出力する信号例の説明図である。
【図５】図５は、本発明の一実施形態に係る盗難防止用ゲートが出力する信号例の説明図である。
【図６】図６は、本発明の一実施形態に係る複数の盗難防止用タグから信号を受信する場合の説明図である。
【発明を実施するための形態】
【００１２】
以下、図面を参照しながら実施形態を説明する。なお、以下の実施形態において示す構成は一例に過ぎず、本発明は図示された構成に限定されるものではない。
【００１３】
＜概要＞
本実施形態では、複数の盗難防止用ゲートの各々から出力されたゲート信号（電波信号）の受信に応じて盗難防止用タグから送信された音波信号（タグ発報信号）が盗難防止用ゲートへ到達するまでの到達時間に基づいて、盗難防止用ゲートでの警報の出力を制御する例を説明する。より具体的には、盗難防止用ゲートは、到達時間に基づいて盗難防止用タグが所定距離範囲にある場合に警報を出力する（発報する）制御を行う。また、その際に複数の盗難防止用ゲート間の同期を行う。
【００１４】
＜システム構成＞
図１は、本実施形態に係る盗難防止システムの構成例を示す図である。盗難防止システム１は、盗難防止用タグ１０，１１と、複数の盗難防止用ゲート２０，３０，４０とを含んで構成されている。盗難防止用タグ１０，１１は、店舗等に配置された対象物（商品等）５０，５１に取り付けられている。対象物５０，５１から盗難防止用タグ１０，１１が不正に取り外されたり、盗難防止用タグ１０，１１が取り付けられた対象物５０，５１が盗難防止用ゲート２０，３０，４０に近接または通過したりした場合に、盗難防止用タグ１０，１１や盗難防止用ゲート２０，３０，４０は警報を出力する。なお、ここでは２つの盗難防止用タグ１０，１１を図示したが、あくまでも一例に過ぎず、さらに他の盗難防止用タグが存在してもよい。同様に、ここでは３つの盗難防止用ゲート２０，３０，４０を図示したが、複数の盗難防止用ゲートであればその数は問わない。
【００１５】
＜装置構成＞
次に図２を参照して、本実施形態に係る盗難防止用タグ１０，１１および盗難防止用ゲート２０，３０，４０の機能構成を説明する。図２（ａ）に示されるように、盗難防止用タグ１０，１１は、制御部１０１と、検知部１０２と、警報出力部１０３と、信号受信部１０４と、信号送信部１０５と、記憶部１０６とを備えている。以降説明する各処理部の動作は、制御部１０１が記憶部１０６に記憶されたプログラムを読み出して実行することにより実現される。また、盗難防止用タグ１０，１１は同様の構成を備えており、以下では盗難防止用タグ１０を例に各処理部の説明を行う。
【００１６】
制御部１０１は、例えばＣＰＵであり、各処理部の動作を制御するとともに各種の処理を実行する。例えば、信号受信部１０４により受信されたゲート信号の受信に応じて、信号送信部１０５の動作を制御して音波信号を送信させる。このときの音波信号は例えば可聴音領域の周波数の信号と、超音波領域の周波数の信号とを含んでおり、可聴音領域の周波数の信号が警報出力部１０３により出力される警報音に相当している。
【００１７】
一方、検知部１０２により盗難防止用タグ１０が対象物５０から取り外されている取外状態が検知された場合には、音波信号には、可聴音領域の周波数の信号だけが含まれ、超音波領域の周波数の信号は含まれないように制御する。詳細は後述するが、盗難防止用ゲートが音波信号を受信した際に、超音波領域の周波数の信号が受信されている場合であって所定距離範囲内に盗難防止用タグ１０が存在する場合には盗難防止用ゲートは警報を出力し、可聴音領域の周波数の信号だけ受信される場合には警報を出力しないように制御する。すなわち、取り外しの場合には盗難防止用ゲートでの警報出力は行わないように構成する。なお、取外状態が検知された場合の音波信号の構成例は上記の例に限定されない。取り外しによる警報出力（タグ発報）によって盗難防止用ゲートで警報出力しないようにすればどのような周波数を設定してもよく、取り外しによる警報出力（タグ発報）については、盗難防止用ゲートでの警報出力に含まれない周波数を設定すればよい。すなわち、取外状態が検知された場合には、音波信号には、盗難防止用ゲートから信号を受信した場合に発生する周波数の信号が含まれないように制御する。盗難防止用ゲートが音波信号を受信した際に、盗難防止用ゲートから信号を受信した場合に発生する周波数の信号が受信されている場合であって所定距離範囲内に盗難防止用タグ１０が存在する場合には盗難防止用ゲートは警報を出力するように制御する。
【００１８】
検知部１０２は、盗難防止用タグ１０が対象物５０に取り付けられている取付状態、又は対象物５０から取り外されている取外状態を検知する。警報出力部１０３は、検知部１０２により盗難防止用タグ１０が対象物５０から取り外された状態が検知されたり、盗難防止用ゲート２０，３０，４０からゲート信号を受信したりした場合に、警報を出力する。
【００１９】
信号受信部１０４は、盗難防止用ゲート２０，３０，４０から送信されたゲート信号を受信する。信号送信部１０５は、盗難防止用ゲート２０，３０，４０に対して、制御部１０１により生成された音波信号を送信する。記憶部１０６は、各処理部の動作を実現するためのプログラムを記憶する。
【００２０】
また、図２（ｂ）に示されるように、盗難防止用ゲート２０，３０，４０は、制御部２０１と、検知部２０２と、警報出力部２０３と、信号受信部２０４と、信号送信部２０５と、記憶部２０６とを備えている。以降説明する各処理部の動作は、制御部２０１が記憶部２０６に記憶されたプログラムを読み出して実行することにより実現される。各処理部の構成は盗難防止用タグ１０と同様であるが、処理の内容が異なっている。また、以下では盗難防止用タグ１０からの信号受信を例に各処理部の説明を行う。
【００２１】
制御部２０１は、例えばＣＰＵであり、各処理部の動作を制御するとともに各種の処理を実行する。検知部２０２は、信号受信部２０４により受信された音波信号に基づいて、盗難防止用タグ１０が取り付けられた対象物５０が盗難防止用ゲート２０から所定距離範囲内に存在することを検知する。警報出力部２０３は、盗難防止用タグ１０から受信した音波信号に基づいて警報を出力する。例えば、信号送信部２０５により送信したゲート信号（電波信号）の送信時と、信号受信部２０４により受信された音波信号の受信時とに基づいて、盗難防止用タグ１０までの距離を解析し、盗難防止用タグ１０が所定距離範囲に存在する場合に警報を出力する。
【００２２】
信号受信部２０４は、盗難防止用タグ１０から送信された音波信号を受信する。信号送信部２０５は、盗難防止用タグ１０に対してゲート信号を送信する。記憶部２０６は、各処理部の動作を実現するためのプログラムを記憶する。
【００２３】
＜盗難防止システムの処理＞
図３に示されるように、まず盗難防止用ゲート２０，３０，４０がゲート信号（電波信号）を送信し、盗難防止用タグ１０，１１は当該ゲート信号を受信する。盗難防止用ゲート２０，３０，４０は、ゲート信号の受信に応じて盗難防止用タグ１０，１１から送信された音波信号（タグ発報信号）が盗難防止用ゲート２０，３０，４０へ到達するまでの到達時間に基づいて、盗難防止用タグと盗難防止用ゲートとの距離を算出する。そして、当該距離に基づいて盗難防止用タグが盗難防止用ゲートから所定距離範囲にある場合に警報を出力する（発報する）制御を行う。所定距離は、任意の値を設定可能であり、例えば３ｍ〜６ｍの間の任意の値に設定する。また、距離を算出することなく、到達時間が閾値以下である場合に警報を出力する（発報する）制御を行ってもよい。
【００２４】
図３の例では、盗難防止用タグ１０が盗難防止用ゲートから１ｍの距離にあり、盗難防止用タグ１１が盗難防止用ゲートから４ｍの距離にある。この場合、盗難防止用タグ１０の到達時間は約２．９ｍｓとなり、盗難防止用タグ１１の到達時間は約１１．８ｍｓとなる。なお、電波の伝搬速度は、音波(超音波)の伝搬速度よりも大きいため、盗難防止用タグ１０，１１はゲート信号をほぼ同時に受信する（誤差を無視できる）。また、一般的に音波(超音波)は空気中を伝搬する場合、２０度、湿度０％の条件では、例えば３ｍの距離の場合は８．７３ｍｓかかる。一方、２０度、湿度１００％の条件では６．１８ｍｓと高速になり、湿度によって計測誤差の原因となりうる。しかし、小売店舗等の場合、通常は空調で制御されていることから温度や湿度はある程度一定に制御されていると考えられ、十分な距離計測精度を確保することができる。
【００２５】
＜盗難防止用ゲート間の同期＞
さらに、複数の盗難防止用ゲート間でゲート信号の送信タイミングを同期させる制御を行ってもよい。盗難防止用ゲート２０，３０，４０を含む複数の盗難防止用ゲートのうち、任意の一台のゲートをマスタとする。そしてマスタである盗難防止用ゲートは、図４に示されるように同期信号を出力する。各盗難防止用ゲートは、無線又は有線で同期信号を受信し、当該同期信号の受信に応じてゲート信号（ｆ０ｋＨｚ、周期：Ｙｍｓの電波信号）を送信する。これにより、複数の盗難防止用ゲートの各々から送信されるゲート信号の出力タイミングを同期させるとともに、当該ゲート信号により発生する音波信号（タグ発報信号）の出力タイミングを同期させることができる。
【００２６】
各盗難防止用タグは、規定時間幅のゲート信号の受信に応じて、警報の出力を行う（タグ発報を行う）。タグ発報パターンは、ｆ１ｋＨｚの周波数でＸ／２ｍｓ、ｆ２ｋＨｚの周波数でＸ／２ｍｓで構成されている（ｆ１＜ｆ２、ｆ２は超音波領域の周波数）。ｆ１ｋＨｚの可聴音領域の音波信号（発報音）のＯＦＦ区間に、ｆ２ｋＨｚの超音波信号を発生させている。ここで、タグ発報パターンの周期を、ゲート信号のバースト波の周期と同じに構成する（周期：Ｘｍｓ）ことにより、複数の盗難防止用タグが異なるタイミングのゲート信号に応じてタグ発報した場合であっても、タグ発報パターンを同期させることが可能となる。なお、タグ発報パターンの時間割合は１対１である必要はなく、例えばｆ１ｋＨｚの周波数でｘ１ｍｓ、ｆ２ｋＨｚの周波数でｘ２ｍｓとし、ｘ１＋ｘ２＝Ｘｍｓとなるように構成してもよい。さらに、必ずしもｆ１＜ｆ２である必要もなく、一方又は両方が超音波領域の周波数に限定されるものではない。
【００２７】
一方、ゲート信号に起因しない発報の場合は、図４に示されるように、ｆ２ｋＨｚの超音波信号を発生させず、ゲート信号に起因するタグ発報の場合と区別する。すなわちｆ１ｋＨｚの可聴音領域の音波信号をＸ／２ｍｓごとに出力する。あるいは、ｆ１ｋＨｚの可聴音領域の音波信号をｘ１ｍｓごとに出力するように構成してもよい。ここで、ゲート信号に起因しない発報とは、例えばスイッチに起因する発報であり、対象物５０などから盗難防止用タグ１０が取り外されたことでスイッチがＯＮになり盗難防止用タグ１０が発報する場合が挙げられる。
【００２８】
盗難防止用ゲートは、図５に示されるように、例えばｆ１ｋＨｚ〜ｆ２ｋＨｚ〜ｆ１ｋＨｚの３Ｘ／２ｍｓ分のタグ発報パターンをゲート受信信号（音波信号）として検出し、当初のゲート信号の送信時からの経過時間（ゲート信号の受信に応じて盗難防止用タグから送信されたタグ発報信号が盗難防止用ゲートへ到達するまでの到達時間とほぼ同じ時間）を算出する。この時間に基づいて、盗難防止用タグと盗難防止用ゲートとの距離を算出する。そして、当該距離に基づいて盗難防止用タグが盗難防止用ゲートから所定距離範囲にある場合に警報を出力する（発報する）制御を行う。あるいは、距離を算出せずに、算出した時間が規定時間内である場合に警報を出力する（発報する）制御を行ってもよい。また、ここではｆ１ｋＨｚ〜ｆ２ｋＨｚ〜ｆ１ｋＨｚの３Ｘ／２ｍｓ分のタグ発報パターンをゲート受信信号（音波信号）として検出する例を示したが、ｆ１ｋＨｚ〜ｆ２ｋＨｚのＸｍｓ分のタグ発報パターンを検出するように構成してもよい。
【００２９】
一方、図４に示したゲート信号に起因しない発報の場合は、ｆ２ｋＨｚの信号がゲート受信信号（音波信号）として検出されることがない。この場合、盗難防止用ゲートは警報の出力を行わない。すなわち、音波信号にｆ２ｋＨｚの信号が含まれない場合には盗難防止用ゲートは警報の出力を行わないように制御する。
【００３０】
続いて、図６を参照して、盗難防止用ゲートがゲート信号を送信した後、複数の盗難防止用タグ１０，１１から音波信号（タグ発報信号）を受信する例を説明する。この場合、盗難防止用タグ１０からの音波信号（ｆ１ｋＨＺ、ｆ２ｋＨｚ）が先に受信され、少し遅れて盗難防止用タグ１１からの音波信号（ｆ１ｋＨＺ、ｆ２ｋＨｚ）が受信されている。
【００３１】
よって、ゲート受信信号（ｆ１ｋＨＺ）は、盗難防止用タグ１０からの音波信号（ｆ１ｋＨＺ）と、盗難防止用タグ１１からの音波信号（ｆ１ｋＨＺ）との重複期間に受信される。同様に、ゲート受信信号（ｆ２ｋＨＺ）は、盗難防止用タグ１０からの音波信号（ｆ２ｋＨＺ）と、盗難防止用タグ１１からの音波信号（ｆ２ｋＨＺ）との重複期間に受信される。複数の盗難防止用タグから信号を受信する場合であっても、フーリエ変換によりｆ１ｋＨＺとｆ２ｋＨｚとの各周波数の信号の発生タイミングを算出することで、最も近くに存在する盗難防止タグが所定距離範囲にあるか否かを判定することができる。
【００３２】
以上説明したように、本実施形態に係る盗難防止用ゲートは、盗難防止用タグから出力された音波信号の受信タイミングに基づいて、盗難防止用タグが所定距離範囲内に存在するか否かを判定し、その判定結果に基づいて盗難防止用ゲートでの警報の出力を制御する。これにより、簡易な構成で盗難防止用ゲートの発報を所望の範囲に限定することが可能となる。
【００３３】
また、本実施形態によれば、複数の盗難防止用ゲートから出力されるゲート信号を同期させるとともに、ゲート信号に応じて発生する音波信号（タグ発報信号）を同期させることができる。さらに、盗難防止用ゲートは、盗難防止用タグから出力された音波信号の受信に応じて動作することから、電波信号の受信が不要となり、盗難防止用ゲートを小型化することができる。
【符号の説明】
【００３４】
１：盗難防止システム
１０，１１：盗難防止用タグ
２０，３０，４０：盗難防止用ゲート
５０：対象物
１０１：制御部
１０２：検知部
１０３：警報出力部
１０４：信号受信部
１０５：信号送信部
１０６：記憶部
２０１：制御部
２０３：警報出力部
２０４：信号受信部
２０５：信号送信部
２０６：記憶部
【図１】
2018112944.tif 000003
【図２】
2018112944.tif 000004
【図３】
2018112944.tif 000005
【図４】
2018112944.tif 000006
【図５】
2018112944.tif 000007
【図６】
2018112944.tif 000008
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
盗難防止用ゲートと盗難防止用タグとを含む盗難防止システムであって、
前記盗難防止用ゲートは、
ゲート信号を送信する送信手段と、
前記盗難防止用タグから出力された音波信号を受信する受信手段と、
前記音波信号の受信タイミングに基づいて、前記盗難防止用タグが所定距離範囲内に存在するか否かを判定する判定手段と、
前記判定手段による判定結果に基づいて警報を出力する出力手段と、
を備え、
前記盗難防止用タグは、
前記盗難防止用ゲートから前記ゲート信号を受信する受信手段と、
音波信号を出力する出力手段と、
を備え、
前記ゲート信号の受信に応じて前記盗難防止用タグから出力される音波信号は、第１の周波数及び第２の周波数を含み、
前記盗難防止用ゲートの前記出力手段は、
前記受信された音波信号に前記第１の周波数及び前記第２の周波数の両方が含まれる場合には前記判定結果に基づいて警報を出力し、
前記受信された音波信号に前記第１の周波数が含まれ、前記第２の周波数が含まれない場合には警報を出力しないことを特徴とする盗難防止システム。
【請求項２】
前記盗難防止用ゲートの前記判定手段は、前記ゲート信号の送信タイミングと、前記音波信号の受信タイミングとの時間差に基づいて前記盗難防止用タグが所定距離範囲内に存在するか否かを判定することを特徴とする請求項１に記載の盗難防止システム。
【請求項３】
前記盗難防止用ゲートは、他の盗難防止用ゲートに対して同期信号を出力する同期信号出力手段をさらに備え、
前記盗難防止用ゲートの送信手段及び前記他の盗難防止用ゲートが備えるゲート信号の送信手段は、前記同期信号に応じてゲート信号を送信することを特徴とする請求項１又は２に記載の盗難防止システム。
【請求項４】
前記盗難防止用ゲートは、他の盗難防止用ゲートから受信した同期信号に応じて前記ゲート信号を送信することを特徴とする請求項１又は２に記載の盗難防止システム。
【請求項５】
前記盗難防止用ゲートの前記出力手段は、前記音波信号に、前記ゲート信号の受信に応じて前記盗難防止用タグから出力された周波数の信号が含まれる場合に、前記判定手段による判定結果に基づいて警報を出力することを特徴とする請求項１乃至４の何れか１項に記載の盗難防止システム。
【請求項６】
前記盗難防止用タグは、前記盗難防止用タグからの対象物の取り外しを検知する検知手段をさらに備え、
前記盗難防止用タグの前記出力手段は、前記検知手段により前記取り外しが検知された場合には、前記第１の周波数を含み、前記第２の周波数を含まない音波信号を出力することを特徴とする請求項１乃至５の何れか１項に記載の盗難防止システム。
【請求項７】
前記第１の周波数は可聴音領域の周波数であり、前記第２の周波数は超音波領域の周波数であることを特徴とする請求項１乃至６の何れか１項に記載の盗難防止システム。
【請求項８】
盗難防止用ゲートと盗難防止用タグとを含む盗難防止システムであって、
前記盗難防止用ゲートは、
ゲート信号を送信する送信手段と、
前記盗難防止用タグから出力された音波信号を受信する受信手段と、
前記音波信号の受信タイミングに基づいて、前記盗難防止用タグが所定距離範囲内に存在するか否かを判定する判定手段と、
前記判定手段による判定結果に基づいて警報を出力する出力手段と、
を備え、
前記盗難防止用タグは、
前記盗難防止用ゲートから前記ゲート信号を受信する受信手段と、
前記ゲート信号の受信に応じて音波信号を出力する出力手段と、
を備え、
前記盗難防止用ゲートの前記判定手段は、前記ゲート信号の送信タイミングと、前記音波信号の受信タイミングとの時間差に基づいて前記盗難防止用タグが所定距離範囲内に存在するか否かを判定することを特徴とする盗難防止システム。
【請求項９】
盗難防止用タグと通信可能な盗難防止用ゲートであって、
ゲート信号を送信する送信手段と、
前記盗難防止用タグから出力された音波信号を受信する受信手段と、
前記音波信号の受信タイミングに基づいて、前記盗難防止用タグが所定距離範囲内に存在するか否かを判定する判定手段と、
前記判定手段による判定結果に基づいて警報を出力する出力手段と、
を備え、
前記ゲート信号の受信に応じて前記盗難防止用タグから出力される音波信号は、第１の周波数及び第２の周波数を含み、
前記出力手段は、
前記受信された音波信号に前記第１の周波数及び前記第２の周波数の両方が含まれる場合には前記判定結果に基づいて警報を出力し、
前記受信された音波信号に前記第１の周波数が含まれ、前記第２の周波数が含まれない場合には警報を出力しないことを特徴とする盗難防止用ゲート。
【請求項１０】
盗難防止用タグと通信可能な盗難防止用ゲートであって、
ゲート信号を送信する送信手段と、
前記盗難防止用タグから出力された音波信号を受信する受信手段と、
前記音波信号の受信タイミングに基づいて、前記盗難防止用タグが所定距離範囲内に存在するか否かを判定する判定手段と、
前記判定手段による判定結果に基づいて警報を出力する出力手段と、
を備え、
前記判定手段は、前記ゲート信号の送信タイミングと、前記音波信号の受信タイミングとの時間差に基づいて前記盗難防止用タグが所定距離範囲内に存在するか否かを判定することを特徴とする盗難防止用ゲート。
【請求項１１】
盗難防止用タグと通信可能な盗難防止用ゲートの制御方法であって、
ゲート信号を送信する送信工程と、
前記盗難防止用タグから出力された音波信号を受信する受信工程と、
前記音波信号の受信タイミングに基づいて、前記盗難防止用タグが所定距離範囲内に存在するか否かを判定する判定工程と、
前記判定工程による判定結果に基づいて警報を出力する出力工程と、
を有し、
前記ゲート信号の受信に応じて前記盗難防止用タグから出力される音波信号は、第１の周波数及び第２の周波数を含み、
前記出力工程では、
前記受信された音波信号に前記第１の周波数及び前記第２の周波数の両方が含まれる場合には前記判定結果に基づいて警報を出力し、
前記受信された音波信号に前記第１の周波数が含まれ、前記第２の周波数が含まれない場合には警報を出力しないことを特徴とする盗難防止用ゲートの制御方法。
【請求項１２】
盗難防止用タグと通信可能な盗難防止用ゲートの制御方法であって、
ゲート信号を送信する送信工程と、
前記盗難防止用タグから出力された音波信号を受信する受信工程と、
前記音波信号の受信タイミングに基づいて、前記盗難防止用タグが所定距離範囲内に存在するか否かを判定する判定工程と、
前記判定工程による判定結果に基づいて警報を出力する出力工程と、
を有し、
前記判定工程では、前記ゲート信号の送信タイミングと、前記音波信号の受信タイミングとの時間差に基づいて前記盗難防止用タグが所定距離範囲内に存在するか否かを判定することを特徴とする盗難防止用ゲートの制御方法。
【請求項１３】
請求項１１又は１２に記載の制御方法の各工程をコンピュータに実行させるためのプログラム。
【手続補正２】
【補正対象書類名】明細書
【補正対象項目名】０００９
【補正方法】変更
【補正の内容】
【０００９】
上記の目的を達成する本発明に係る盗難防止システムは、
盗難防止用ゲートと盗難防止用タグとを含む盗難防止システムであって、
前記盗難防止用ゲートは、
ゲート信号を送信する送信手段と、
前記盗難防止用タグから出力された音波信号を受信する受信手段と、
前記音波信号の受信タイミングに基づいて、前記盗難防止用タグが所定距離範囲内に存在するか否かを判定する判定手段と、
前記判定手段による判定結果に基づいて警報を出力する出力手段と、
を備え、
前記盗難防止用タグは、
前記盗難防止用ゲートから前記ゲート信号を受信する受信手段と、
音波信号を出力する出力手段と、
を備え、
前記ゲート信号の受信に応じて前記盗難防止用タグから出力される音波信号は、第１の周波数及び第２の周波数を含み、
前記盗難防止用ゲートの前記出力手段は、
前記受信された音波信号に前記第１の周波数及び前記第２の周波数の両方が含まれる場合には前記判定結果に基づいて警報を出力し、
前記受信された音波信号に前記第１の周波数が含まれ、前記第２の周波数が含まれない場合には警報を出力しないことを特徴とする。